(57)【要約】【課題】システムのコストバランスを保ちながらミラー振幅制御が精度よく行なえる光走査装置用ミラー振幅制御装置を提供する。【解決手段】第１，第２光電センサ９，１０で検出された検出信号を信号処理部１４において論理回路１７により演算処理することにより、符号を反転させた反転検出信号を生成し、比較部１５において当該反転検出信号と基準値生成部１６から出力された基準値信号とを加算処理し、演算結果により得られた誤差を積分してエラー信号として出力する。【選択図】図５
2011242704.tif 000002
【特許請求の範囲】
【請求項１】
駆動回路から駆動電圧を供給して基板上に設けられた振動源を作動させて当該基板を撓ませることにより梁部を揺動軸とするミラー部を揺動させながら照射光を反射することで走査する光走査装置用ミラー振幅制御装置であって、
前記振動源を作動させて揺動するミラー部の振幅を検出する振幅検出部と、
前記振幅検出部で検出された検出信号を論理回路により演算処理することにより、符号を反転させた反転検出信号を生成する信号処理部と、
基準間隔となる基準値信号を生成する基準値生成部と、
前記信号処理部で生成された反転検出信号と基準値生成部から出力された基準値信号とを加算処理し、演算結果により得られた誤差を積分してエラー信号として出力する比較部と、
前記比較部において生じたエラー信号の増減値を打ち消すように前記駆動回路へ所定時間出力するフィードバック制御を行なう前記振幅レベル調整部と、を具備したことを特徴とする光走査装置用ミラー振幅制御装置。
【請求項２】
前記振幅検出部は、ミラー部の移動端を検出する第１センサ信号と第２センサ信号との信号間隔により生成される検出信号を出力し、当該検出信号が前記信号処理部においてインバータ回路で符号を反転させた反転検出信号が生成される請求項１記載の光走査装置用ミラー振幅制御装置。
【請求項３】
前記比較部は、前記信号処理部で生成された反転検出信号と基準値生成部から出力された基準値信号とを加算処理して得られた誤差を積分して基準電圧との差であるエラー信号として出力する請求項１又は２記載の光走査装置用ミラー振幅制御装置。
【発明の詳細な説明】
【技術分野】
【０００１】
本発明は、光源より照射された光ビームを揺動するミラー部で反射して走査を行う光走査装置用ミラー振幅制御装置に関する。
【背景技術】
【０００２】
光源より照射されたレーザー光等の光ビームを走査する光走査装置は、バーコードリーダ、レーザープリンタ、ヘッドマウントディスプレー等の光学機器、あるいは赤外線カメラ等撮像装置の光取り入れ装置として用いられている。
【０００３】
例えば、光走査装置の一例として矩形基板（例えばステンレス基板やシリコン基板など）に形成された開口部内に梁部により両側が連結されたミラー部が設けられている。ミラー部は鏡面仕上げされているか、反射膜が形成されているか、或いは基板にミラーが貼付けられている。
【０００４】
また、基板には圧電体、磁歪体、または永久磁石のいずれかによる薄膜よりなる振動源が設けられ、例えば圧電体の場合、図示しない駆動源より正電圧を印加すると延びが発生し、負電圧を印加すると縮みが発生するため、基板に撓みが発生する。この基板の上下方向の撓みに対して梁部にねじれ振動が発生してミラー部が揺動する。このミラー部と梁部との共振周波数付近で駆動周波数を維持して、振動するミラー部によりレーザー光を反射することで光走査する。
【０００５】
これによって、ＭＥＭＳ（Micro Electro Mechanical System）を用いて製造された微小ミラーを揺動させる光走査装置より製造コストがかからず、小型の振動源でミラー部に大きな振動を発生させるようになっている（特許文献１参照）。
【０００６】
光走査装置の駆動制御は、ミラー部とその振動方向にそって２箇所に設けられたセンサによって２つのセンサ信号が生成される。ミラーの振動を安定化させるためには、２つのセンサ信号の発生間隔を計測し、基準値と比較してフィードバック制御をかける。フィードバック制御によってミラー部を振動させるための電圧信号を補正し、振幅レベルを変化させる。
【先行技術文献】
【特許文献】
【０００７】
【特許文献１】特開２００６−２９３１１６号公報
【発明の開示】
【発明が解決しようとする課題】
【０００８】
ミラー部の走査振幅を検出するセンサ出力信号の間隔をタイマーカウンタなどで計測して監視する場合、例えば走査周波数が２ｋＨzで目標ジッター値が０．０１％の場合、タイマーカウンタの分解能はおよそ０．０１μｓとなる。検出誤差を考慮するとカウントは２００ＭＨｚ〜３００ＭＨｚで行なう必要があり、高速でタイマーが必要になる。また、数百ＭＨｚで動作できるタイマーカウンタを用いる場合、高速動作によるタイマーカウンタ自体の発熱やコストが嵩むという課題がある。タイマーカウンタの発熱量が多い場合には、制御回路を光学ユニットの近傍に配置できなくなる。
【０００９】
フィードバック制御では抑制すべきジッターの周波数成分が数百Ｈｚであり、サンプリング周波数は数ｋＨｚで十分であるため、フィードバック制御を安価なシステムで実現可能であるが、間隔計測部には高価なシステムが必要になるというシステムのコストバランスが悪いという課題がある。
【００１０】
本発明は、システムのコストバランスを保ちながらミラー振幅制御が精度よく行なえる光走査装置用ミラー振幅制御装置を提供することを目的とする。
【課題を解決するための手段】
【００１１】
上記課題を解決するための手段は以下の構成を含むことを特徴とする。
即ち、駆動回路から駆動電圧を供給して基板上に設けられた振動源を作動させて当該基板を撓ませることにより梁部を揺動軸とするミラー部を揺動させながら照射光を反射することで走査する光走査装置用ミラー振幅制御装置であって、前記振動源を作動させて揺動するミラー部の振幅を検出する振幅検出部と、前記振幅検出部で検出された検出信号を論理回路により演算処理することにより、符号を反転させた反転検出信号を生成する信号処理部と、基準間隔となる基準値信号を生成する基準値生成部と、前記信号処理部で生成された反転検出信号と基準値生成部から出力された基準値信号とを加算処理し、演算結果により得られた誤差を積分してエラー信号として出力する比較部と、前記比較部において生じたエラー信号の増減値を打ち消すように前記駆動回路へ所定時間出力するフィードバック制御を行なう前記振幅レベル調整部と、を具備したことを特徴とする。
【００１２】
前記振幅検出部は、ミラー部の移動端を検出する第１センサ信号と第２センサ信号との信号間隔により生成される検出信号を出力し、当該検出信号が信号処理部においてインバータ回路で符号を反転させた反転検出信号が生成されることを特徴とする。
【００１３】
前記比較部は、前記信号処理部で生成された反転検出信号と基準値生成部から出力された基準値信号とを加算処理して得られた誤差を積分して基準電圧との差であるエラー信号として出力することを特徴とする。
【発明の効果】
【００１４】
振幅検出部で検出された検出信号を信号処理部において論理回路により演算処理することにより、符号を反転させた反転検出信号を生成し、比較部において当該反転検出信号と基準値生成部から出力された基準値信号とを加算処理し、演算結果により得られた誤差を積分してエラー信号として出力する。これにより、検出信号の信号間隔を計測する高性能で発熱量の多いタイマーカウンタを使用する必要がないので、システムのコストバランスを低廉に抑えながらミラー振幅制御が精度よく行なえる。また、制御回路の発熱量も少ないので制御装置を光学系の近傍に設置することも可能になる。
【図面の簡単な説明】
【００１５】
【図１】光走査装置の平面図及び矢印Ａ−Ａ断面図である。
【図２】ミラー部の振幅を検出するセンサ配置及びセンサ信号についての説明図である。
【図３】光走査装置の駆動制御装置のブロック構成図である。
【図４】ミラー振幅変化と補正電圧との関係を示す波形図である。
【図５】信号処理部の回路構成を示すブロック図である。
【図６】図５信号処理部の信号処理動作を示すタイミングチャート図である。
【発明を実施するための形態】
【００１６】
以下、本発明に係る光学走査装置のミラー駆動方法の一実施形態について図面を参照して説明する。本実施例では、レーザービームプリンタ用に用いられる光走査装置（スキャナー）を例示して説明するものとする。
【００１７】
図１（ａ）（ｂ）を参照して光走査装置の概略構成について説明する。
基板１は金属板（ステンレススチール；ＳＵＳ３０４）若しくはシリコン基板（Ｓｉ）などの矩形基板が好適に用いられる。基板１は長手方向の一方側を支持部材７とクランプ部材６に挟み込まれて片持ち状に支持されている。
【００１８】
基板１の他端側（自由端側）には一対の基板舌部８が形成されている。この基板舌部８間に形成された開口部２内に両側を梁部３により支持されたミラー部４（光MEMSミラー）が設けられている。
【００１９】
また、基板１の一端側中央部には振動源５として圧電素子（ＰＺＴ；チタン酸ジルコン酸鉛）が接着等により設けられている。この振動源５を作動させて当該基板１を振動させることにより、梁部３を揺動軸としてミラー部４を揺動させながら照射光を反射することで走査するようになっている。
【００２０】
尚、振動源５としては、圧電素子のほかに、圧電体、磁歪体又は永久磁石体のいずれかが基板上に膜状に直接形成されていてもよい。成膜法としては、例えばエアロゾルデポジション法（AD法）、真空蒸着法、スパッタリング法や化学的気相成長法（CVD: Chemical Vapor  Deposition）、ゾル−ゲル法などの薄膜形成技術を用いて、圧電体、磁歪体又は永久磁石体のいずれかが基板上に膜状に直接形成されていると、低電圧駆動で低消費電力の光走査装置を提供できる。
【００２１】
磁歪体や永久磁石体を用いる場合、外部から印加する交番磁界は、上記磁歪膜、永久磁石膜が形成された基板部近傍に設けられたコイルに交流電流を流すことで交番磁界を発生させる。尚、磁歪膜や永久磁石膜で基板に形成する場合、基板材料は非磁性材料である方が、より効率的に撓みを発生することができる。
【００２２】
尚、ミラー部４は、基板１に金属板を使用する場合には鏡面仕上げされた基板１を用いると良い。金属板以外の基板や、金属板においてもより高い反射性能が要求され場合には、真空蒸着、スパッタリング、ＣＶＤ（化学的気相成長法）等の薄膜形成技術により、ミラー部４へ薄膜を形成するか、或いはミラー部４へ別途ミラー用反射材料を貼付けてもよい。
【００２３】
また、薄膜を形成する材料には、金（Au）、二酸化ケイ素（SiO2）、アルミニウム（Al）、あるいはフッ化マグネシウム（MgF2）から１つを選択、或いは２つ以上の材料を組み合わせ、さらに前記薄膜成形技術による同一層(=単層)、或いは２層以上の多層構成を適度な膜厚に制御することによって、反射性能を向上する薄膜が形成できる。あるいは、ミラー部４へ別途ミラー用反射材を貼付ける材料には、鏡面仕上げしたシリコン（Si）またはアルミナチタンカーバイト（Al2O3-TiC）のセラミック等へ、前記薄膜成形技術にて薄膜を形成しても良い。
【００２４】
また、基板１の厚みに関しては、動作中のミラー部４の平坦性やプロジェクターデバイスなどへの応用で要求されるミラーサイズを考慮し、シリコン（Ｓｉ）、ステンレススチール（ＳＵＳ３０４等）等の、或いはさらにカーボンナノチューブを前記材料へ成長させた基板を想定すると、少なくとも１０μｍ以上の厚みが望ましい。
【００２５】
ミラー部４の走査振幅は、図２に示すようにミラー部４の走査範囲に沿って２箇所に例えば第１光電センサ９，第２光電センサ１０（振幅検出部）を設けて、当該第１，第２光電センサ９，１０で感知した反射光によって第１センサ信号Ｓ１と第２センサ信号Ｓ２が生成される。
【００２６】
次に、光走査装置の駆動制御装置の一例について図３のブロック構成図を参照して説明する。駆動制御装置ではミラー部４の走査振幅を安定化させるために第１センサ信号Ｓ１、第２センサ信号Ｓ２の発生間隔を計測し、基準値と比較してフィードバック制御が行われる。以下、装置構成とともに駆動方法について詳述する。
【００２７】
図３において周波数生成部１１は設定された所定の駆動周波数を生成する。振幅レベル調整部１２は、周波数生成部１１で生成された駆動周波数の振幅レベルを調整して駆動回路１３へ出力する。駆動回路１３は、振幅レベル調整部１２から入力した振幅レベルに対応する駆動電圧を供給して振動源５を作動させる。これによりミラー部４は、梁部３を中心として揺動する。振幅検出部である第１，第２光電センサ９，１０は駆動回路１３から駆動電圧を印加されて揺動するミラー部４の振幅を検出する。信号処理部１４は、上記図２に示すように、第１，第２光電センサ９，１０で検出された第１センサ信号Ｓ１と第２センサ信号Ｓ２から得られた検出信号を論理回路により演算処理することにより、符号を反転させた反転検出信号を生成する。基準値生成部１６は基準間隔となる基準値信号を生成する。また、比較部１５は、信号処理部１４で生成された反転検出信号と基準値生成部１６から出力された基準値信号とを加算処理し、演算結果を積分して生じた誤差をエラー信号として出力する。振幅レベル調整部１２は、比較部１５のエラー信号に応じて図４に示すように補正電圧を算出して駆動回路１３へ印加する駆動電圧を補正するようになっている。
【００２８】
次に信号処理部１４の一例について図５のブロック構成図及び図６の動作タイミングチャート図を参照して説明する。
図５において、第１，第２光電センサ９，１０によって検出された第１センサ信号Ｓ１と第２センサ信号Ｓ２の検出信号（間隔信号）が、インバータ回路（ＮＯＴ回路）１７によって符号を反転させた反転検出信号を生成する（図６（ａ）参照）。この信号がフリップフロップＦＦに入力されると加算器（レジスタ）１８に対して演算処理指令が出力される。
【００２９】
図５において、比較部１５に備えた加算器１８は、インバータ回路１７で生成された反転検出信号と基準値生成部１６から出力された基準値信号とを加算処理し、誤差信号を生成して、それを積分して基準電圧（中点電圧）との差分をエラー信号として出力する（図６（ｂ）（ｃ）参照）。このエラー信号を振幅レベル調整部１２へ出力し、振幅レベル調整部１２はエラー信号の増減値を打ち消すように駆動回路１３へ所定時間出力するフィードバック制御を行なう。
【００３０】
図６（ａ）は、センサ信号間隔と基準信号間隔が同じ場合、即ちミラー部４の振幅の誤差が生じていない場合を示す。この場合には、加算処理後の誤差信号の積分値が零になるので、エラー信号は発生せず、基準電圧に一致している。
【００３１】
図６（ｂ）は、センサ信号の間隔が基準値信号の間隔より長い、即ちミラー部４の振幅が基準値より大きくなっている場合を示す、この場合には、加算処理後の誤差信号の積分値が零より小さいマイナスの値になるので、基準電圧より低いエラー信号が発生している。
【００３２】
図６（ｃ）は、センサ信号の間隔が基準値信号の間隔より短い、即ちミラー部４の振幅が基準値より小さくなっている場合を示す、この場合には、加算処理後の誤差信号の積分値が零より大きいブラスの値になるので、基準電圧より高いエラー信号が発生している。
【００３３】
上述したように、第１，第２光電センサ９，１０による検出信号の信号間隔を計測する高性能で発熱量の多いタイマーカウンタを使用する必要がないので、システムのコストバランスを低廉に抑えながらミラー振幅制御が精度よく行なえる。また、制御回路の発熱量も少ないので制御装置を光学系の近傍に設置することも可能になる。
【符号の説明】
【００３４】
１  基板
２  開口部
３  梁部
４  ミラー部
５  振動源
６  クランプ部材
７  支持部材
８  基板舌部
９  第１光電センサ  
１０  第２光電センサ  
１１  周波数生成部  
１２  振幅レベル調整部  
１３  駆動回路  
１４  信号処理部  
１５  比較部  
１６  基準値生成部
１７  インバータ回路
１８  加算器
【図１】
2011242704.tif 000003
【図２】
2011242704.tif 000004
【図３】
2011242704.tif 000005
【図４】
2011242704.tif 000006
【図５】
2011242704.tif 000007
【図６】
2011242704.tif 000008
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
矩形基板の長手方向一端側を挟み込まれて片持ち支持されその他端である自由端側に基板舌部が両側に設けられ、該基板舌部間に形成された開口部内に梁部により支持されたミラー部を備え、駆動回路から駆動電圧を供給して基板上に設けられた振動源を作動させて当該基板を撓ませることにより梁部を揺動軸とするミラー部を揺動させながら照射光を反射することで走査する光走査装置用ミラー振幅制御装置であって、
前記振動源を作動させて揺動する前記ミラー部の走査範囲に２か所に設けた第１，第２光電センサに検出された第１，第２センサ信号の信号間隔により生成される検出信号から振幅を検出する振幅検出部と、
前記検出信号からインバータ回路によって符号を反転させた反転検出信号を生成する信号処理部と、
基準間隔となる基準値信号を生成する基準値生成部と、
前記信号処理部で生成された反転検出信号がフリップフロップに入力されると加算器において前記基準値生成部から出力された基準値信号と加算処理され、演算結果により得られた誤差を積分してエラー信号として出力する比較部と、
前記比較部において生じたエラー信号の増減値を打ち消すように周波数生成部で生成される駆動周波数を有する信号の振幅レベルを調整する指令を前記駆動回路に出力する振幅レベル調整部と、を具備し、前記駆動回路は前記振幅レベル調整部からの指令に応じて前記振動源を通じて前記ミラー部の振幅調整を行うフィードバック制御を行なうことを特徴とする光走査装置用ミラー振幅制御装置。
【手続補正２】
【補正対象書類名】明細書
【補正対象項目名】００１１
【補正方法】変更
【補正の内容】
【００１１】
上記課題を解決するための手段は以下の構成を含むことを特徴とする。
即ち、矩形基板の長手方向一端側を挟み込まれて片持ち支持されその他端である自由端側に基板舌部が両側に設けられ、該基板舌部間に形成された開口部内に梁部により支持されたミラー部を備え、駆動回路から駆動電圧を供給して基板上に設けられた振動源を作動させて当該基板を撓ませることにより梁部を揺動軸とするミラー部を揺動させながら照射光を反射することで走査する光走査装置用ミラー振幅制御装置であって、前記振動源を作動させて揺動する前記ミラー部の走査範囲に２か所に設けた第１，第２光電センサに検出された第１，第２センサ信号の信号間隔により生成される検出信号から振幅を検出する振幅検出部と、前記検出信号からインバータ回路によって符号を反転させた反転検出信号を生成する信号処理部と、基準間隔となる基準値信号を生成する基準値生成部と、
前記信号処理部で生成された反転検出信号がフリップフロップに入力されると加算器において前記基準値生成部から出力された基準値信号と加算処理され、演算結果により得られた誤差を積分してエラー信号として出力する比較部と、前記比較部において生じたエラー信号の増減値を打ち消すように周波数生成部で生成される駆動周波数を有する信号の振幅レベルを調整する指令を前記駆動回路に出力する振幅レベル調整部と、を具備し、前記駆動回路は前記振幅レベル調整部からの指令に応じて前記振動源を通じて前記ミラー部の振幅調整を行うフィードバック制御を行なうことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】図面
【補正対象項目名】図１
【補正方法】変更
【補正の内容】
【図１】
2011242704.tif 000009